(57)【要約】【課題】本発明の課題は、背景部に表示される色の切換が容易にでき且つ構成も簡易な画像読取装置を得ることである。【解決手段】原稿載置部５に対して光を照射し、その反射光により原稿載置部５上の原稿の画像を読み取る画像読取部７と、原稿を読み取る際の背景となる背景部２３、３７とを備え、背景部２３、３７は色を表示する表示部２３ｂ、３７ａを有し、表示部２３ｂ、３７ａは表示される色の種類及び濃度を電気的な制御により切り替え可能としている。【選択図】図１
2007309969.tif 000002
【特許請求の範囲】
【請求項１】
原稿載置部に対して光を照射し、その反射光により原稿載置部上の原稿の画像を読み取る画像読取部と、原稿を読み取る際の背景となる背景部とを備え、背景部は色を表示する表示部を有し、表示部は表示される色の種類及び濃度を電気的な制御により切り替え可能としていることを特徴とする画像読取装置。
【請求項２】
表示部に表示される色は白色と黒色とを交互に切り替え可能としていることを特徴とする請求項１に記載の画像読取装置。
【請求項３】
原稿を原稿載置部内の原稿読取位置まで搬送する原稿搬送手段を備え、背景部は原稿読取位置に対向して設けてあることを特徴とする請求項１又は２に記載の画像読取装置。
【請求項４】
原稿載置部を開閉自在に覆って原稿載置部上に載置された原稿を押さえる圧板を備え、背景部は圧板の原稿載置側面に備えていることを特徴とする請求項１又は２に記載の画像読取装置。
【請求項５】
表示部は液晶、電子ペーパー、発光素子の何れかであることを特徴とする請求項１〜４の何れか一項に記載の画像読取装置。
【発明の詳細な説明】
【技術分野】
【０００１】
本発明は、スキャナ、複写機、ファクシミリ等に用いられる画像読取装置に関する。
【背景技術】
【０００２】
従来、複写機等の画像読取装置において、原稿の読取面の背景色を、白色又は黒色、あるいは白色と黒色とを交互に切り替える技術が知られている。背景部を黒色とした場合には、原稿読取り前に露光面となる原稿載置台上のゴミを検知したり、原稿が混載して違うサイズの原稿が紛れ込んだ際に、黒色の背景部との濃度面積比により該当サイズを計算したり、更には黒色の背景により原稿と背景部との境界を認識してスキューにより傾いた原稿を補正したりしている。一方、背景部を白色とすることにより、読み取り画像の縁に黒い線筋が発生するのを抑えると共に白色の読取データを画像補正のための基準データとして用いている。
【０００３】
特許文献１には、白色の背景部と黒色の背景部とを上下に重ねて配置し、背景部を交互にスライドさせて白色と黒色を切り替える技術が開示されている。また、係る文献には、回転体を白色と黒色に分けて配色し、回転体を回転させて白色と黒色を切り替える技術が開示されている。
【０００４】
【特許文献１】特開２００３−１０１７３７号公報
【発明の開示】
【発明が解決しようとする課題】
【０００５】
しかし、特許文献１に記載の従来技術では、白色の背景部と黒色の背景部を切り替えるスライド機構や回転機構が必要となるため、構成が複雑になるとともに、背景色の切替作業も煩雑になるという問題がある。特に、圧板を備えたフラットベッド式の画像読取装置の場合には、圧板とコンタクトガラスとの間のスペースが小さく、スライド機構や回転機構を設けるのは困難である。
【０００６】
本発明は、背景部に表示される色の切換が容易にでき且つ構成も簡易な画像読取装置を得ることを目的とする。
【課題を解決するための手段】
【０００７】
前記課題を解決するために、請求項１に記載された発明は、原稿載置部に対して光を照射し、その反射光により原稿載置部上の原稿の画像を読み取る画像読取部と、原稿を読み取る際の背景となる背景部とを備え、背景部は色を表示する表示部を有し、表示部は表示される色の種類及び濃度を電気的な制御により切り替えていることを特徴とする。
【０００８】
請求項２に記載された発明は、請求項１に記載の発明において、表示部に表示される色は白色と黒色とを交互に切り替え可能としていることを特徴とする。
【０００９】
請求項３に記載された発明は、請求項１又は２に記載の発明において、原稿を原稿載置部内の原稿読取位置まで搬送する原稿搬送手段を備え、背景部は原稿読取位置に対向して設けてあることを特徴とする。
【００１０】
請求項４に記載された発明は、請求項１又は２に記載の発明において、原稿載置部を開閉自在に覆って原稿載置部上に載置された原稿を押さえる圧板を備え、背景部は圧板の原稿載置側面に備えていることを特徴とする。
【００１１】
請求項５に記載された発明は、請求項１〜４の何れか一項に記載の発明において、原稿載置部を開閉自在に覆って原稿載置部上に載置された原稿を押さえる圧板を備え、背景部は圧板の原稿載置側面に備えていることを特徴とする。
【発明の効果】
【００１２】
本発明によれば、背景部の表示部は電気的な切り替えにより色を切り替えているので、背景部を機械的に移動させて色を変更する必要がなく、色の切換が容易にでき且つ構成も簡易である。
【発明を実施するための最良の形態】
【００１３】
以下に、添付図面を参照して、本発明の実施の形態を詳細に説明する。尚、図１は本発明の実施の形態に係る画像読取装置の概略断面図、図２は図１の自動給紙側背景部を拡大して示す概略断面図、図３は図１の二点鎖線部分を拡大して示す概略断面図である。
【００１４】
図１に示すように、本実施の形態に係るスキャナ（画像読取装置）１は、読取原稿を自動的に読み取り位置まで給紙する自動給紙部３と、読取原稿を載置するコンタクトガラス（原稿載置部）５と、コンタクトガラス５に対して光を照射し、その反射光によりコンタクトガラス５上の原稿の画像を読み取る画像読取部７と、コンタクトガラス５上に載置された原稿を押さえる圧板９とを備えている。
【００１５】
自動給紙部３は、読み取り原稿が載置される給紙トレイ１１と、給紙トレイ１１に積載された原稿がピックアップされるピックアップローラ１３と、ピックアップローラ１３でピックアップされた原稿が分離される分離部（原稿を搬送する方向に回転する分離ローラ１５、原稿を戻す方向に回転するリバースローラ１６）と、分離部から送り出された原稿を検知する透過センサ（発光側センサ１７ａ、受光側センサ１７ｂ）と、搬送ローラ１９と、原稿の読取位置（ＡＤＦ原稿ガラス）２１の対向位置に設けられた自動給紙側背景部（背景部）２３と、読み取りが終了した原稿を排紙する排紙ローラ２５と、排紙原稿をスタックする排紙トレイ２７とを備えている。
【００１６】
自動給紙側背景部（背景部）２３は、原稿搬送面に沿って形成された液晶保持部２３ａと、液晶保持部２３ａの表面に貼り付けられたシート状の液晶(表示部)２３ｂとを備え、液晶２３ｂに接続された制御部２４の制御信号により液晶に表示される色や濃度が変化する。制御部２４は白黒反転モードスイッチや、制御パネルに接続されており、液晶２３ｂに表示される色や濃度の切り替え自在となっている。尚、液晶２３ｂの表面はシート状のガラスやポリカーボネート等の樹脂で覆っており、搬送される原稿の接触から液晶を保護できる。
【００１７】
圧板９の原稿載置側面には、圧板側背景部（背景部）３７が設けられており、圧板側背景部（背景部）３７の表面には、自動給紙側背景部２３と同様の液晶（表示部）３７ａが貼り付けられている。そして、液晶３７ａに接続された制御部３８の制御信号により、液晶３７ａに表示される色や濃度が変化する。制御部３８は白黒反転モードスイッチや、制御パネルに接続されており、液晶３７ａに表示される色や濃度の切り替え自在となっている。液晶３７ａの表面はシート状のガラスやポリカーボネート等の樹脂で覆われており、搬送原稿の接触から保護できる。
【００１８】
画像読取部７は原稿の読取位置（ＡＤＦ原稿ガラス）２１に送られてきた原稿に対して光を照射するランプ３１及び反射板３３、第１キャリッジベース３４に保持固定された第１ミラー３５、第２キャリッジベース３６に保持固定された第２ミラー３９及び第３ミラー４０、画像読取板４１上のＣＣＤ４３を備えている。また、画像読取部７内にはコンタクトガラス５上に載置された原稿に対して光を照射するランプ４５と、反射光をＣＣＤ４３に導く第４ミラー４７と、ランプ４５及び第４ミラー４７を保持する光学ユニット４９
を備えている。
【００１９】
次に、本発明の実施形態における画像読取装置の作用及び効果について説明する。自動給紙部３を使って原稿Ｐを読み取る場合には、給紙トレイ１１に読み取り原稿Ｐをセットする。給紙トレイ１１にセットされた原稿Ｐは、分離ローラ１５及び搬送ローラ１９を通過して読取位置２１まで搬送され、読取位置２１において原稿Ｐが読み取られる。読み取りが終了した原稿Ｐは読取位置２１の対向位置に設けられた自動給紙側背景部（背景部）２３と、読み取りが終了した原稿Ｐは排紙ローラ２５を経て、排紙トレイ２７に排紙される。
【００２０】
原稿Ｐを読み取る際には、液晶２３ｂに表示される背景色を黒色に切り替え、画像読取部７により原稿Ｐと背景との境界を認識し、原稿サイズの検知や、搬送される原稿Ｐの傾きを検知している。また、原稿Ｐが薄い場合には、液晶２３ｂに表示される背景色を黒色に切り替えて原稿Ｐの裏写りを防止している。一方、原稿サイズの検知や原稿Ｐの傾き検知、及び原稿の裏写り防止を行わない場合には、液晶２３ｂに表示される背景色を白色に切り替えている。
【００２１】
圧板９を使って原稿Ｐを読み取る場合には、圧板９を開いてコンタクトガラス５上に読み取り原稿を載置する。コンタクトガラス５上にセットされた原稿Ｐは、光学ユニット４９で読み取られる。原稿Ｐを読み取る際には、圧板９に設けられた液晶３７ａに表示される背景色を黒色に切り替え、画像読取部７により原稿Ｐと背景との境界を認識し、コンタクトガラス５上のゴミを検知している。また、原稿Ｐが薄い場合にも液晶３７ａに表示される背景色を黒色に切り替えて原稿Ｐの裏写りを防止している。一方、コンタクトガラス５上のゴミを検知しない場合や原稿Ｐの裏写り防止を行わない場合には、液晶３７ａに表示される背景色を白色に切り替えている。
【００２２】
本実施の形態では、電気的な切り替えにより液晶２３ｂ、３７ａに表示する背景色を変更しているので、背景部をスライドさせたり回転させたりして背景色を変更する必要がなく、背景色の切換が容易にでき且つ構成も簡易である。
【００２３】
自動給紙部３の読取位置における背景部に液晶２３ｂを用いているので、背景部の色を瞬時に白色から黒色、あるいは黒色から白色に切り替えることができ、切り替え時間の短縮化を図ることができ、原稿の読み取り時間を短縮化できる。
【００２４】
圧板９の背景部に液晶３７ａを用いているので、背景部の色を瞬時に白色から黒色、あるいは黒色から白色に切り替えることができ、色の切り替え時間の短縮化を図ることができ、原稿の読み取り時間を短縮化できる。
【００２５】
圧板９の背景部に液晶３７ａを用いているので、背景部の色を白から黒あるいは黒から白に切り替えるために、圧板９に設けられた背景板を取り付けたり取り外したりする必要がなく、作業の軽減を図れる。
【００２６】
本発明は、上述した実施の形態に限らず、本発明の要旨を逸脱しない範囲で種々変形可能である。自動給紙側背景部（背景部）２３及び、圧板側背景部（背景部）３７には液晶２３ｂ、３７ａを用いたが、これに限定されず、マイクロカプセル内粒子の電気泳動を利用した電子ペーパーや、エレクトロルミネッセンス（ＥＬ素子）等の自己発光体（発光素子）を用いたものであっても良い。
【００２７】
上述の実施形態において、自動給紙側背景部（背景部）２３、及び圧板側背景部（背景部）３７のそれぞれの表示部に液晶２３ｂ、３７ａを用いたが、何れか一方のみに液晶を用い、他方を通常の背景板である白色基準板を用いても良い。
【００２８】
上述の実施形態の画像読取装置１では、液晶２３ｂ、３７ａの色の種類を変更するようにしたが、これに限定されず、色の濃度を変更して光の反射率を変更してあっても良い。  
【００２９】
上述の実施形態の画像読取装置１は、自動給紙による原稿読み取り及び圧板による原稿読み取りを行っているが、これに限定されず、自動給紙のみを備えた画像読取装置又は圧板のみを備えた画像読取装置であっても良い。
【図面の簡単な説明】
【００３０】
【図１】本発明の実施の形態に係る画像読取装置の概略断面図である。
【図２】図１の自動給紙側背景部を拡大して示す概略断面図である。
【図３】図１の二点鎖線部分を拡大して示す概略断面図である。
【符号の説明】
【００３１】
１          画像読取装置
５          原稿載置部
７          画像読取部
１９        原稿搬送手段
２１        原稿読取位置
２３        （自動給紙側）背景部
２３ｂ      表示部
３７        （圧板側）背景部
３７ａ      表示部
【図１】
2007309969.tif 000003
【図２】
2007309969.tif 000004
【図３】
2007309969.tif 000005